(57)【要約】【課題】簡単に植物が生い茂るのを防止する防草システムを提供する。【解決手段】防草システム１０は、複数の集光部材１２を備える。集光部材１２はガラスまたは樹脂からなる球体である。植物の育成を阻害したい地表１４に集光部材１２を敷きつめる。集光部材１２は地表１４に並べるように配置してもよいし、不規則に配置してもよい。集光部材１２は太陽光１６を集光するレンズの機能を有する。集光部材１２の外側かつ集光部材１２の付近に太陽光１６の焦点１８が形成される。地表１４に集光部材１２を敷きつめると、集光部材１２の焦点１８は地表１４またはその付近になる。地中から生えてきた植物に太陽光１６が集光され、その部分の植物の細胞の温度が上がり、その細胞を死滅させることができる。【選択図】図１
2020022405.tif 000002
【特許請求の範囲】
【請求項１】
地表を覆うように配置され、地中から生えてくる植物に太陽光を集光させて該植物の細胞を破壊する複数の集光部材を備えた防草システム。
【請求項２】
前記集光部材が無色透明の球体である請求項１の防草システム。
【請求項３】
透明の線材で形成されたネットまたは透明のシートが前記集光部材の上を覆った請求項１または２の防草システム。
【発明の詳細な説明】
【技術分野】
【０００１】
本発明は、植物、特に雑草が茂るのを防止する防草システムに関するものである。
【背景技術】
【０００２】
従来、雑草が生い茂るのを防止するために、地表に防草シートを敷いている。防草シートは遮光性を有するシートであり、防草シートが日光を遮断することで雑草の生育を妨害する。
【０００３】
しかし、複数の防草シートを並べて敷いた場合、防草シート同士の間を完全に隙間なく敷くことは困難であり、防草シート同士の間に隙間ができる。防草シートが経年劣化して穴が空く場合もある。そのような隙間または穴から地表に光が届くと、そこから雑草が伸びてきて、見た目が損なわれる。
【０００４】
また、道路わきにはガードレールの支柱があり、防草シートを敷くのが難しい。夏場はガードレールを覆うように雑草が生い茂り、道路まではみ出る場合がある。道幅が狭くなり、ガードレールによる視線誘導もできなくなるため危険である。雑草を刈り取るために人手と時間が必要になり、雑草を刈り取れずに放置される場所も多い。
【０００５】
特許文献１は防草シートを支柱に熱で溶着させて隙間ができないようにしている。しかし、防草シートを支柱の形状に合わせて切断したり、防草シートに熱をかけたりする手間があり、施工に時間がかかる。
【先行技術文献】
【特許文献】
【０００６】
【特許文献１】特開２０１８−３８３０３号
【発明の概要】
【発明が解決しようとする課題】
【０００７】
本発明の目的は簡単に植物が生い茂るのを防止する防草システムを提供することにある。
【課題を解決するための手段】
【０００８】
本発明の防草システムは、地表を覆うように配置され、地中から生えてくる植物に太陽光を集光させて該植物の細胞を破壊する複数の集光部材を備える。前記集光部材は無色透明の球体である。透明の線材で形成されたネットまたは透明のシートが前記集光部材の上を覆ってもよい。
【発明の効果】
【０００９】
本発明によると、集光部材を地表に敷くことで、太陽光が植物に集光され、集光された部分の温度が上昇して細胞を破壊できる。集光部材を地表に覆うようにしくだけで防草でき、簡単に植物が生い茂るのを防止できる。
【図面の簡単な説明】
【００１０】
【図１】本願発明の防草システムを示す図であり、（ａ）は正面図であり、（ｂ）は上面図である。
【図２】集光部材が太陽光を集光する様子を示す図である。
【図３】集光部材を多段に積み重ねた正面図であり、（ａ）は集光部材を２段に重ねた図であり、（ｂ）は集光部材を３段に重ねた図である。
【図４】集光部材の周囲を囲った図であり、（ａ）は板体で囲った図であり、（ｂ）は土を盛り上げて囲った図である。
【図５】直径の異なる集光部材を多段に積み重ねた図であり、（ａ）は直径の異なる集光部材を２段に積み重ねた正面図であり、（ｂ）は（ａ）の上面図であり、（ｃ）は直径の異なる集光部材を３段に積み重ねた正面図である。
【図６】集光部材の一部を地面に埋めた図であり、（ａ）は正面図であり、（ｂ）は集光部材が太陽光を集光する様子を示す図である。
【図７】異なる直径の集光部材を敷きつめた集光部材を示す上面図である。
【図８】棒状の集光部材を使用した集光部材を示す図であり、（ａ）は正面図であり、（ｂ）は上面図である。
【図９】集光部材を線材でつなげた図であり、（ａ）は１列ごとに線材でつなげた上面図であり、（ｂ）はすべての集光部材を線材でつなげた上面図である。
【図１０】ブロックの間に集光部材を敷いた上面図である。
【発明を実施するための形態】
【００１１】
本発明の防草システムについて図面を参照して説明する。生い茂るのを防止する植物はほぼ雑草であるが、雑草以外に生えたばかりの樹木の芽も含む。
【００１２】
図１に示す防草システム１０は、複数の集光部材１２を備える。集光部材１２はガラスまたは樹脂からなる球体である。植物の育成を阻害したい地表１４に集光部材１２を敷きつめる。集光部材１２は地表１４に並べるように配置してもよいし、不規則に配置してもよい。集光部材１２は任意の形状に敷きつめることができる。ガードレールの支柱、道路標識の支柱、電柱などの柱の周りに簡単に敷きつめることができる。地表１４に凹凸がある場合、地表１４を平らに整地してから集光部材１２を敷きつめてもよい。
【００１３】
集光部材１２は太陽光１６を集光するレンズの機能を有する（図２）。集光部材１２の屈折率が均一であると、集光部材１２の外側かつ集光部材１２の付近に太陽光１６の焦点１８が形成される。日本において地表１４が水平になっている場合、太陽光１６の光軸は地表１４に対して傾斜している（太陽が南に位置する場合、３１．６〜７８．４°）。地表１４に集光部材１２を敷きつめると、集光部材１２の焦点１８は地表１４またはその付近になる。地中から生えてきた植物に太陽光１６が集光され、その部分の植物の細胞の温度が上がり、その細胞を死滅（または破壊とも言う）させることができる。さらに集光部材１２に対する太陽の相対的な位置は時間と共に変化する。太陽光１６の焦点１８は時間と共に移動し、細胞を死滅させる部分が線状に変化する。複数の集光部材１２を用いるため、複数の部分で線状に細胞を死滅させることができる。植物の細胞を死滅させることで、防草が可能になる。
【００１４】
集光部材１２は無色透明であることが好ましい。集光部材１２が着色されていると、集光部材１２がフィルターになり、一定の波長の光しか集光できない。植物に太陽光の焦点ができてもその光量が小さくなり、上記のように植物の細胞を死滅させることができなくなる。そのため、集光部材１２を無色透明にすることで、全波長の光を集光できるようにする。
【００１５】
集光部材１２の直径は約１０〜３０ｍｍ、好ましくは約１０〜２０ｍｍである。上記範囲よりも集光部材１２の直径が小さくなると、１つの集光部材１２で集光できる太陽光１６の光量が減少し、植物の細胞を死滅できない。また、上記範囲よりも集光部材１２の直径が大きくなると集光部材１２同士の隙間が大きくなりすぎ、隙間に植物が生えやすくなる。
【００１６】
図３に示すように、集光部材１２を複数段に積み重ねてもよい。集光部材１２は球状になっており、集光部材１２を敷きつめても、集光部材１２同士の間に隙間ができる。複数段に集光部材１２を重ねて、集光部材１２同士の隙間の上に集光部材１２を配置させる。地表１４を平面視したときに、集光部材１２で隙間が無いようにする。集光部材１２同士の隙間に植物が伸びようとしても、上段にある集光部材１２によって隙間を伸びる植物に太陽光が集光させられる。図３（ａ）は２段、図３（ｂ）は３段に集光部材１２を積み重ねているが、集光部材１２を積み重ねる段数は限定されない。しかし、段数が多くなると集光部材１２が高くなりすぎ、集光部材１２によって減衰する光量が大きくなるため、集光部材１２を積み重ねる場合、２〜３段が好ましい。
【００１７】
集光部材１２の上から透明の線材で形成されたネットまたは透明のシートで覆ってもよい。集光部材１２の位置がずれるのを防止する。ネットまたはシートを構成する材料を透明の材料にすることで太陽光を遮光しないようにする。ネットの網の目が細かすぎると、線材によって多方向に太陽光が屈折したり減衰量が大きくなったりするため、ネットの網の目は大きくすることが好ましい。また、集光部材１２を敷きつめた領域を囲むように板体２０を配置したり（図４（ａ））、土の盛り上がり２２を形成したりするなどして（図４（ｂ））、集光部材１２を囲んでもよい。集光部材１２の位置がずれるのを防止する。
【００１８】
以上のように、本発明は従来の防草シートを使用していない。本発明は集光部材１２を地表１４に敷きつめるだけでよく、簡単に防草することができる。支柱などがあっても、その形状を気にせずに集光部材１２を敷きつめることができ、簡単に防草システム１０を施工することができる。複雑な形状になった領域に対して防草を簡単にできる。
【００１９】
以上、本発明について一実施形態を説明したが、本発明は上記の実施形態に限定されない。たとえば、集光部材１２は真円の球に限定されず、楕円球であってもよい。また、集光部材１２は中を空洞にしてもよい。集光部材１２は太陽光を集光できれば、その形状や構造は限定されない。
【００２０】
集光部材１２同士の間をモルタルや接着剤等で埋めてもよい。複数の集光部材が一体になり、集光部材１２が移動しにくくなる。
【００２１】
図３のように集光部材１２を複数段に積み重ねる場合、上段の集光部材１２は下段の集光部材１２よりも焦点距離（集光部材１２の中心から焦点１８までの距離）が長くなるようにしてもよい。各段の集光部材１２が地表１４またはその付近に焦点１８が合うようにする。たとえば、各段の集光部材１２の大きさが同じであり、上段の集光部材１２は下段の集光部材１２よりも屈折率を低くする。屈折率が低くなるほど集光部材１２から離れた位置に焦点１８が合うようになる。１段ずつ集光部材１２を敷きつめていき、１段敷きつめるごとに集光部材１２の焦点距離が長くなるようにすることで、上記のような焦点距離が異なる集光部材１２を敷きつめることができる。
【００２２】
図５（ａ）、（ｂ）の防草システム５０のように、上段の集光部材５２は下段の集光部材５４よりも直径を大きくして、集光部材５２、５４を積み重ねてもよい。各段の集光部材５２、５４の屈折率が同じであれば、直径が大きくなるほど集光部材５２、５４焦点距離が長くなる。すなわち、上段の集光部材５２は下段の集光部材５４よりも集光部材５２から離れた場所に焦点が合うようになっているため、各段の集光部材５２、５４が地表１４またはその付近に焦点が合うようにする。上段の集光部材５２も植物を防草しやすくなっている。集光部材５２、５４の段数は任意であり、たとえば図５（ｃ）の防草システム５６のように、異なる直径の集光部材５２、５４、５８を３段に積み重ねてもよい。
【００２３】
各段の集光部材５２、５４、５８の直径と共に屈折率も変えて、各段の集光部材５２、５４、５８の焦点距離を異ならせてもよい。上段の集光部材ほど焦点距離が長くなるようにして、地表１４またはその付近に焦点が合うようにする。
【００２４】
図６（ａ）の防草システム６０ように集光部材６２を地面１４に押し付け、集光部材６２の一部を地面１４に埋まるようにしてもよい。集光部材６２と地面１４との隙間が小さくなる。集光部材６２としてルネベルク（Ｌｕｎｅｂｅｒｇ）のレンズを使用する。その集光部材６２は球状であり、その屈折率が中心から表面に向けて徐々に低くなっている。図６（ｂ）のように太陽光１６が集光部材６２の表面に集光する。地中から生えてきた植物が集光部材６２に接触し、接触した部分の温度を上げて細胞を破壊する。
【００２５】
図７の防草システム７０のように異なる直径の集光部材７２、７４を敷きつめてもよい。直径の大きい集光部材７２同士の隙間に直径の小さい集光部材７４が入る。集光部材７２、７４同士の隙間が小さくなり、植物に光を集光させやすくなる。異なる直径の集光部材７２、７４を複数段積み重ねてもよい。
【００２６】
図８の防草システム８０のように、棒状の集光部材８２を使用してもよい。集光部材８２は円柱になっており、線状に太陽光を集光する。防草システム８０のように、球状の集光部材１２と棒状の集光部材８２を組み合わせてもよいし、棒状の集光部材８２のみを使用してもよい。球状の集光部材１２よりも棒状の集光部材８２は広い面積を覆いやすい。
【００２７】
図９の防草システム９０ａ、９０ｂのように、集光部材９２に極細の貫通穴９４を開けてもよい。複数の集光部材９２の貫通穴９４に１本の線材９６ａ、９６ｂを通し、複数の集光部材９２を１本の線材９６ａ、９６ｂでつなげる。１列の集光部材９２を１本の線材９６ａでつなげてもよいし（図９（ａ））、複数列の集光部材９２を１本の線材９６ｂでつなげてもよい（図９（ｂ））。複数の集光部材９２が線材９６ａ、９６ｂでつながって一体になることで、集光部材９２の位置ずれを防止できる。
【００２８】
防草システム９０ａ、９０ｂにおいて、貫通穴９４はできるだけ細くして光の透過の妨げにならないようにする。線材９６ａ、９６ｂは無色透明であり、集光部材９２とほぼ同じ屈折率の材料の樹脂やガラスで形成されたものを使用する。さらに、貫通穴９４を形成する内壁と線材９６ａ、９６ｂとの隙間を無くすことが好ましい。貫通穴９４および線材９６ａ、９６ｂによって光が散乱したり、反射したりすることを低減させる。貫通穴９４と線材９６ａ、９６ｂによって集光部材９２が太陽光を集光するレンズとしての機能をできるだけ阻害しないようにする。
【００２９】
従来の防草シートと集光部材１２を組み合わせてもよい。広い領域は防草シートを敷くのが容易で、集光部材１２を敷きつめるのが難しい。支柱の周りなどの複雑な形状の領域は集光部材１２を敷きつめるのが容易で、防草シートを敷くのが難しい。そのため、広い領域に防草シートを敷き、支柱の周りなどの複雑な形状の領域には集光部材１２を敷く。
【００３０】
図１０の防草システム１００のように、地面に敷いたブロック１０２同士の間に集光部材１２を敷きつめてもよい。図１０では集光部材１２を１列に敷いているが、集光部材１２とブロック１０２同士の距離によって集光部材１２を複数列に敷きつめてもよい。また、集光部材１２は複数段になってもよい。ブロック１０２同士の間から植物が茂るのを阻害できる。また、ブロック１０２に限らず、石などの間に集光部材１２を敷いてもよい。
【００３１】
その他、本発明は、その主旨を逸脱しない範囲で当業者の知識に基づき種々の改良、修正、変更を加えた態様で実施できるものである。
【符号の説明】
【００３２】
１０、５０、５６、６０、７０、８０、９０ａ、９０ｂ、１００：防草システム
１２、５２、５４、５８、６２、７２、７４、８２、９４：集光部材
１４：地表
１６：太陽光
１８：焦点
２０：板体
２２：盛り上げた土
９４：貫通穴
９６ａ、９６ｂ：線材
１０２：ブロック
【図１】
2020022405.tif 000003
【図２】
2020022405.tif 000004
【図３】
2020022405.tif 000005
【図４】
2020022405.tif 000006
【図５】
2020022405.tif 000007
【図６】
2020022405.tif 000008
【図７】
2020022405.tif 000009
【図８】
2020022405.tif 000010
【図９】
2020022405.tif 000011
【図１０】
2020022405.tif 000012